(57)【要約】【課題】洋服等をハンガーに吊るして整理する際に、防虫剤等を収容して、簡易に洋服等に添付することができるコンパクトなハンガー用小袋を提供する。【解決手段】  ハンガー用小袋１０は、綿製の２枚の布１２，１３を互いに重ね合せた偏平な袋本体１１の外周縁に幅広の紐１６，１７を縫い付けることにより形成される。袋本体１１は、２枚の第１及び第２布部１２，１３が長手方向下端縁を揃えて重ね合わされる。第１布部１２は、第２布部１３の長手方向上端縁から外方に離間した位置で第２布部１３側に折り曲げられて、第２布部１３の長手方向上端縁にて第１布部１２との間に形成された開口部１４が第１布部１２で覆われる。第１及び第２布部１２，１３の周縁が紐１６、１７で縫い付けられて閉塞され、開口部１４の外側に延びて円弧状の吊下げ部１７ａとして形成される。【選択図】    図１
0003111661.tif 000002
【実用新案登録請求の範囲】
【請求項１】
織布、不織布あるいは紙製である一枚の布類を折り曲げて重ね合せ、又は２枚の布類を互いに重ね合せて開口部を有する偏平な袋本体とし、該開口部側にて重ね合わされた布類の一方側が外方に延出すると共に延出側で折り返されて他方の布類に被せられて該開口部が開放可能に閉塞されており、該袋本体の開口部を除く周縁部分の少なくとも開放された部分にテープ状の紐を取り付けて開放部分を閉塞し、さらに該紐を開口部側から外方に延出させてループ状の吊下げ部としたことを特徴とするハンガー用小袋。
【請求項２】
前記吊下げ部が途中で二分割されており、両側を分離可能に連結する連結部を設けたことを特徴とする前記請求項１に記載のハンガー用小袋。
【請求項３】
前記布類として、織布の生地端を用いたことを特徴とする前記請求項１又は２に記載のハンガー用小袋。
【考案の詳細な説明】
【技術分野】
【０００１】
本考案は、洋服等をハンガーに吊るして整理する際に、防虫剤、乾燥剤、芳香剤等を入れて洋服等に添付するためのハンガー用小袋に関する。
【背景技術】
【０００２】
従来、洋服等をハンガーに吊るしてたんす等に入れて整理する際に、防虫剤、乾燥剤、芳香剤等を入れた袋等をたんす内に吊るして使用することはよく知られたことである。しかし、従来のものは、防虫剤等を含む一体の袋であり、防虫剤を追加したり他の乾燥剤等を入れ替えたり、ボタン等の小物を入れることはできなかった。また、これらは、たんす内で支持棒に吊るして使用するものであり、形状も大きいためかさばることになり、直接ハンガーに吊るすことは無理であった。さらに、洋服のポケット等に直接殺虫剤等を入れることは、生地を痛めるため好ましくない。
【０００３】
これに対して、例えば特許文献１に示すように、ハンガーを通す袋の襟部分の開口部を開閉できるようにして、閉じている間は袋内に虫の侵入を防ぐようにした防虫袋が知られている。この防虫袋の内側には一体で内ポケットが設けられており、この内ポケット内に防虫剤、防かび剤、乾燥剤等を入れることができるようになっている。しかし、この場合、特別の防虫袋を用意しなければならないため、気軽に使えるというものではなく、また防虫袋自体も高価であるという問題がある。また、特許文献２に示すように、ハンガー自体に防虫剤入れを一体で取り付けて、防虫剤を投入するようにした衣服ハンガーが知られている。しかし、この場合も、特別な構造のハンガーを用意する必要があるため、気軽に使えるというものではなく、さらに防虫剤入れに防虫剤を入れた後に防虫剤が飛び出さないように注意する必要があり、通常のハンガーに比べて使い勝手が悪い。一方、巾着などの袋に防虫剤等を入れてハンガーに吊るすことも可能であるが、袋がかさばるため、ハンガーに吊るすには使い難く、また見た目もよくないという問題がある。
【特許文献１】特開２００４−２６７７１２号公報
【特許文献２】特開２００３−１６４３６６号公報
【考案の開示】
【考案が解決しようとする課題】
【０００４】
本考案は、このような問題を解決しようとするもので、洋服等をハンガーに吊るして整理する際に、防虫剤、乾燥剤、芳香剤等や布切れ、ボタン等の小物を収容して、簡易に洋服等に添付することができるコンパクトなハンガー用小袋を提供することを目的とする。
【課題を解決するための手段】
【０００５】
上記目的を達成するために本考案の構成上の特徴は、織布、不織布あるいは紙製である一枚の布類を折り曲げて重ね合せ、又は２枚の布類を互いに重ね合せて開口部を有する偏平な袋本体とし、開口部側にて重ね合わされた布類の一方側が外方に延出すると共に延出側で折り返されて他方の布類に被せられて開口部が開放可能に閉塞されており、袋本体の開口部を除く周縁部分の少なくとも開放された部分にテープ状の紐を取り付けて開放部分を閉塞し、さらに紐を開口部側から外方に延出させてループ状の吊下げ部としたことにある。
【０００６】
上記のように構成した考案においては、ハンガー用小袋は織布、不織布あるいは紙製である袋本体の周縁を紐で閉鎖した、偏平な形状でかつ軽量になっており、内部に防虫剤等やボタン等の小物を収容して、洋服等の掛けられたハンガー等に外からあるいは洋服等の中に簡単に吊るすことができるので取扱いが容易であると共にかさばることがないので、コンパクトに保管することができ、また見た目に見苦しさもない。また、ハンガー用小袋は、開口部が被覆されているため、内部に収容した防虫剤等が外に飛び出すおそれもない。さらに、防虫剤等が小袋に収容されているため、洋服等に直接接触することがないため、洋服等の生地を変色させることもない。
【０００７】
また、本考案によれば、汎用のハンガーに適用することができ、特別なハンガーを用意する必要もないので使い勝手がよく、さらに、特に紐のデザインに変化を持たせることにより、ハンガー用小袋のデザイン性も高められる。また、袋本体にマジックペン等で簡単に名前等を記載することができるため、一時的に多くの洋服、和服等を保管するような用途に使用する場合に、他との区別を明確にすることができる。また、ハンガー用小袋をハンガー等に吊るすばかりでなく、タンス等の中に小物類をまとめて保管することができるので、整理の手間が省かれる。
【０００８】
また、本考案において、吊下げ部が途中で二分割されており、両側を分離可能に連結する連結部を設けることができる。連結部としては、ホック、ボタン、面状ファスナー等を紐の両端に設けたり、あるいは単に紐同士を結び合せる構成でもよい。これにより、ハンガー用小袋をハンガーや棒に取り付ける際、連結部を取り外してから連結させることにより取り付けがさらに容易にされる。
【０００９】
また、本考案において、布類として、織布の生地端を用いることができる。これにより、織布の余りの生地端を用いてハンガー用小袋を作ることができるため、ハンガー用小袋を一層安価に提供できると共に、織布の有効活用を図ることができる。
【考案の効果】
【００１０】
本考案においては、織布、不織布あるいは紙製である袋本体の周縁を紐で閉鎖した、偏平な形状でかつ軽量のハンガー用小袋に防虫剤等を入れて、洋服等の掛けられたハンガー等に外からあるいは洋服等の中に簡単に吊るすことができ、また、ハンガー用小袋は、開口部が被覆されているため、内部に収容した防虫剤等が外に飛び出すおそれもなく、洋服等に直接接触することがないので生地を傷めるおそれもない。また、本考案によれば、汎用のハンガーに適用することができるので使い勝手がよく、さらに、特に紐のデザインに変化を持たせることにより、ハンガー用小袋のデザイン性も高められ、さらに、袋本体にマジックペン等で簡単に名前等を記載することができるため、他との区別を明確にすることができ、また、ハンガー用小袋に防虫剤等を入れてタンス等の中にまとめて保管することができ整理の手間が省かれるので便利である。また、本考案において、保持部の途中に連結部を設けることにより、ハンガーや棒に取り付ける際、連結部を取り外してから連結させることにより取り付けが一層容易にされる。
【考案を実施するための最良の形態】
【００１１】
以下、本考案の一実施例について図面を用いて説明する。図１及び図２は実施例１であるハンガー用小袋を正面図及び背面図により示したものである。また、図３−１，２は袋本体の加工状態を正面図により示したものである。ハンガー用小袋１０は、布類として綿製の織布である２枚の第１及び第２布部１２，１３を互いに重ね合せて開口部１４を有する偏平な袋本体１１とし、袋部本体１１の外周縁に幅広の紐１６，１７を縫い付けることにより構成されている。
【００１２】
袋本体１１は、図３-１に示すように、２枚の第１及び第２布部１２，１３が重ね合わされている。第１布部１２は、長手方向（図示上下方向）上下縁が互いに平行で、また幅方向（図示左右方向）の両側縁が上端寄り位置１２ｂを頂点として外方にわずかに尖った三角形になっており、全体として六角形になっている。第２布部１３は、下端縁を第１布部１２の長手方向下端に揃えて重ね合わされており、上端が第１布部１２の上下略中間に位置する逆台形形状となっている。第１布部１２は、図３-２に示すように、上端寄り位置１２ｂで第２布部１３側に折り曲げられて、第２布部１３に重ね合わされる。これにより、第１布部１２の重ね合わせた折り曲げ部分１２ａ先端側が第２布部１３の長手方向上端縁を覆った状態になり、第２布部１３の上端縁にて第１布部１２との間に形成された開口部１４が第１布部１２で覆われた状態になる。なお、第１及び第２布部１２，１３として、織布の生地端が好適に用いられている。
【００１３】
このように重ね合わされた第１及び第２布部１２，１３の長手方向下端縁が、リボン状の紐１６で縫い付けられて閉塞されると共に紐１６によって補強される。紐１６は、細長い布を幅方向に二つ折りにして重ね合せたものであり、重ね合せ部分で第１及び第２布部１２，１３を挟んで１点鎖線で示すように糸で縫い付けられる。さらに、第１及び第２布部１２，１３の幅方向両側縁が、紐１６と同様のリボン状の紐１７で縫い付けられて閉塞されると共に紐１７によって補強される。紐１７は、さらに開口部１４の外側に延びて円弧状のループをなす吊下げ部１７ａとして形成され、ハンガー用小袋１０が得られる。このハンガー用小袋１０は、折り曲げ部分１２ａを広げて開口部１４を開放することにより、開口部１４から内部に防虫剤等を容易に入れることができる。
【００１４】
ハンガー用小袋１０は、図４に示すように、吊下げ部１７ａをハンガー１のフック２を通して両側のアーム部３に引掻けることにより、簡単にハンガー１に吊り下げることができる。また、図４に示すハンガー４の水平なアーム部５に、ハンガー用小袋１０の吊下げ部１７ａを横から通して吊り下げることも可能である。また、図５に示すようにハンガー１に洋服及びそのカバー７を掛けた後に、吊下げ部１７ａをフック２を通してハンガー用小袋１０をカバー７の外側に吊るすことも可能である。このとき、袋本体１１の第１布部１２の折り曲げ部分１２ａ等に名前等を記載することにより、ハンガー用小袋１０が名札としての機能も発揮できる。
【００１５】
以上に説明したように、本実施例１のハンガー用小袋１０は、綿製の織布で形成された袋本体１１の周縁を紐１６，１７で閉鎖した、偏平な形状でかつ軽量になっており、洋服等の掛けられたハンガー等に外からあるいは洋服等の中に簡単に吊るすことができるので取扱いが容易である。また、ハンガー用小袋１０は、偏平であり防虫剤等を入れてもかさばることがないので、コンパクトに保管することができ、また見た目に見苦しさもない。また、ハンガー用小袋１０は、開口部１４が第１布部１２の折り曲げ部分１２ａで被されているため、内部に収容した防虫剤等の小物が外に飛び出すおそれもなく、確実に保管される。さらに、ハンガー用小袋１０は直接洋服に直接接触することが無いので、防虫剤等で洋服等の生地を変色させるおそれもない。その結果、実施例１においては、洋服等をハンガー等に掛けるときに防虫剤等を簡易かつ確実に添付できるので便利である。また、ハンガー用小袋１０は、汎用のハンガーに適用することができ、特別なハンガーを用意する必要もないので使い勝手がよい。さらに、特に紐１６，１７や布部１２，１３のデザインに変化を持たせることにより、ハンガー用小袋１０のデザイン性も高められる。
【００１６】
また、袋本体１１にマジックペン等で簡単に名前等を記載することができるため、一時的に多くの洋服，和服等を保管するような用途に使用する場合に、他との区別を明確にすることができる。さらに、ハンガー用小袋１０をハンガー等に吊るすばかりでなく、タンス等の中に小物類をまとめて保管することができるので、整理の手間が省かれる。また、第１及び第２布類１２，１３として、織布の余りの生地端を用いてハンガー用小袋１０を作ることができるため、ハンガー用小袋１０を一層安価に提供できると共に、織布の有効活用を図ることができる。
【００１７】
つぎに、上記実施例１の変形例について説明する。
変形例では、図６に示すように、ハンガー用小袋１０Ａの袋本体１１Ａの第１及び第２布部１２Ａ，１３Ａが１枚の綿製の布で形成されている。したがって、袋本体１１Ａの第１及び第２布部１２Ａ，１３Ａの境界が連続しているため、この部分を必ずしも紐で縫い付ける必要はなく、一本の紐１８で第１及び第２布部１２Ａ，１３Ａの側縁部を縫い付けると共に吊下げ部１８ａを形成すればよい。そのため、ハンガー用小袋１０Ａの形成の手間が少なくなり、安価に提供される。
【００１８】
つぎに、上記実施例２について図７−１，２により説明する。
実施例２において、ハンガー用小袋２０は、綿製の袋本体２１を構成する互いに重ね合わされた２枚の第１及び第２布部２２，２３の長手方向（図７−１，２の上下方向）の下端が幅方向（図７−１，２の左右方向）の両側で円弧状に丸められている。第１布部２２の折り曲げ部分２２ａが第２布部２３の上端側に重ね合わされた状態で、開口部２４を除く周縁部全体が一本の紐２５で縫い合わされている。さらに、開口部２４から外方に延びた紐である吊下げ部２５ａが先端側で分離されており、分離部分において、互いに着脱可能にする連結部としての面状ファスナ２６が取り付けられている。
【００１９】
これにより、実施例２においては、実施例１の効果に加えて、ハンガー用小袋２０をハンガーや棒に取り付ける際、図７-２に示すように、面状ファスナ２５を取り外してからハンガー等に分離された吊下げ部２５ａを回して、面状ファスナ２６を連結させることにより取り付けが一層容易に行われるので便利である。また、紐２５を一本用意して袋本体２１に縫い付ければよいので、紐の数を少なくできると共に、縫い付けの手間が少なくされる。そのため、ハンガー用小袋２０が安価に提供される。
【００２０】
なお、実施例２に示した連結部としては、面状ファスナの他にホック、ボタン等の連結具を用いることも可能である。さらに、実施例２の変形例として、図８に示すように、吊下げ部２５ａを、単に紐同士を結び合せた結び部２７で連結させるようにしてもよい。また、実施例２のように、袋本体を一本の紐で縫い付ける構成については、実施例１に適用することも可能である。また、実施例１，２においては、袋本体として綿製の織布が用いられているが、綿以外の繊維製の織布でもよく、さらに不織布あるいは紙等を用いることも可能である。さらに、実施例１，２においては、第１及び第２布部として織布の生地端を用いているが、これに限るものではなく、また、生地端についても、折り曲げたり、縁かがりをしたり、レース等で飾ることもできる。その他、上記各実施例に示したハンガー用小袋については、一例であり、本考案の主旨を逸脱しない範囲において種々変更して実施することが可能である。
【産業上の利用可能性】
【００２１】
本考案は、織布等で形成された袋本体の周縁を紐で閉鎖した偏平な形状でかつ軽量のハンガー用小袋に防虫剤等を入れて、洋服等の掛けられたハンガー等に外からあるいは洋服等の中に簡単に吊るすことができ、また開口部が布類で覆われており内部の防虫剤等が飛び出すことがなく、また防虫剤等が洋服等に直接接触することもないので、洋服等の生地を変色させることもなく、また、汎用のハンガーに適用することができるので使い勝手がよく、さらに保持部の途中に連結部を設けることにより、ハンガーや棒に取り付ける際、連結部を取り外してから連結させることにより取り付けがさらに容易にされるため、有用である。
【図面の簡単な説明】
【００２２】
【図１】本考案の実施例１であるハンガー用小袋を示す正面図である。
【図２】同ハンガー用小袋を示す背面図である。
【図３−１】同ハンガー用小袋の袋本体の形成過程を示す正面図である。
【図３−２】同袋本体を示す正面図である。
【図４】同ハンガー用小袋の使用状態を示す正面図である。
【図５】同ハンガー用小袋の他の使用状態を示す正面図である。
【図６】実施例１の変形例であるハンガー用小袋を示す正面図である。
【図７−１】実施例２であるハンガー用小袋を示す正面図である。
【図７−２】実施例２のハンガー用小袋において吊下げ部を外した状態を示す正面図である。
【図８】実施例２の変形例であるハンガー用小袋を示す正面図である。
【符号の説明】
【００２３】
１０…ハンガー用小袋、１１…袋本体、１２…第１布部、１３…第２布部、１４…開口部、１６，１７，１８…紐、１７ａ，１８ａ…吊下げ部、２０…ハンガー用小袋、２１…袋本体、２２…第１布部、２３…第２布部、２４…開口部、２５…紐、２５ａ…吊下げ部。
【図１】
0003111661.tif 000003
【図２】
0003111661.tif 000004
【図３−１】
0003111661.tif 000005
【図３−２】
0003111661.tif 000006
【図４】
0003111661.tif 000007
【図５】
0003111661.tif 000008
【図６】
0003111661.tif 000009
【図７−１】
0003111661.tif 000010
【図７−２】
0003111661.tif 000011
【図８】
0003111661.tif 000012